(57)【特許請求の範囲】
【請求項１】
時間帯によって身体の状態が異なる情報提示対象者に関する前記時間帯ごとの前記身体の状態を予測した身体状態管理情報と、前記情報提示対象者への提示情報ごとに、前記情報提示対象者が前記提示情報に対して期待通りに対処することが可能である前記身体の状態を示す提示管理情報と、が記憶された記憶手段と、
前記身体状態管理情報、及び、前記提示管理情報に基づいて、前記情報提示対象者が特定の前記提示情報に対して期待通りに対処することが可能と予測される時間帯に、前記特定の提示情報を、前記情報提示対象者に提示する提示手段と、
を備える情報提示装置。
【請求項２】
前記提示手段は、前記情報提示対象者に前記提示情報を提示する前記時間帯ごとの頻度が、基準を満たすように前記提示情報を提示する、
請求項１に記載の情報提示装置。
【請求項３】
前記提示手段は、前記時間帯ごとの頻度が、前記時間帯同士で均等あるいは略均等になるように前記提示情報を提示する、
請求項２に記載の情報提示装置。
【請求項４】
前記記憶手段には、前記情報提示対象者が前記提示情報に対して期待通りに対処することができた、前記時間帯ごとの成功回数を示す時間帯別実績管理情報が記憶され、
前記提示手段は、前記身体の状態が第一の値を示す第一の前記時間帯と、前記身体の状態が第二の値を示す第二の前記時間帯とにおける、前記提示情報を提示する頻度を、前記時間帯別実績管理情報が示す前記第一及び第二の時間帯ごとの前記成功回数に基づいて決定し、決定した前記頻度を満たすように前記提示情報を提示する、
請求項２に記載の情報提示装置。
【請求項５】
前記提示手段は、前記第一の時間帯と、前記第二の時間帯とにおける、前記提示情報を提示する頻度の比率を、前記時間帯別実績管理情報が示す前記第一及び第二の時間帯における単位時間あたりの前記成功回数の比率と同等となるように決定する、
請求項４に記載の情報提示装置。
【請求項６】
前記提示手段は、スピーカー及びモニターの少なくともいずれかを使用することによって、前記提示情報を、音声及び画像の少なくともいずれかにより、前記情報提示対象者に提示する、
請求項１乃至５のいずれか一項に記載の情報提示装置。
【請求項７】
前記提示情報に対して前記情報提示対象者が対処した内容を表す対処情報を収集する収集手段と、
前記収集手段によって収集された前記対処情報と、前記情報提示対象者に期待される前記提示情報に対する対処内容を表す期待情報とを比較することによって、前記情報提示対象者が期待通りに対処することができたか否かを判定する判定手段と、
前記判定手段による判定結果に基づいて、前記身体状態管理情報、及び、前記提示管理情報を更新する更新手段と、
をさらに備える請求項１に記載の情報提示装置。
【請求項８】
前記判定手段は、前記提示情報に対する前記判定結果を、前記提示手段によって前記提示情報が提示された時間と関連付けた提示情報別実績管理情報として生成し、
前記更新手段は、前記提示情報別実績管理情報が示す、前記時間帯ごとの前記判定結果に基づいて、前記身体状態管理情報を更新する、
請求項７に記載の情報提示装置。
【請求項９】
前記更新手段は、前記提示情報別実績管理情報によって示される、前記情報提示対象者が前記提示情報に対して期待通りに対処することができた前記時間帯ごとの成功回数に基づいて、前記身体状態管理情報を更新する、
請求項８に記載の情報提示装置。
【請求項１０】
前記更新手段は、前記提示情報別実績管理情報が示す前記提示情報ごとの前記判定結果と、前記身体状態管理情報とに基づいて、前記提示管理情報を更新する、
請求項８または９に記載の情報提示装置。
【請求項１１】
前記更新手段は、前記提示情報別実績管理情報が、前記特定の提示情報に対して前記情報提示対象者が対処することに失敗したことを示す場合、前記特定の提示情報が提示された前記時間帯における前記身体の状態を示す値、及び、当該身体の状態より悪い状態を示す値を、前記提示管理情報に含まれる、前記情報提示対象者が前記特定の提示情報に対して期待通りに対処することが可能である前記身体の状態を示す値の一覧から削除する、
請求項１０に記載の情報提示装置。
【請求項１２】
前記更新手段は、前記身体状態管理情報と、前記提示情報別実績管理情報とに基づいて、前記身体の状態が等しい前記時間帯ごとの、前記情報提示対象者が前記提示情報に対して期待通りに対処することができた成功回数を示す時間帯別実績管理情報を生成あるいは更新する、
請求項８乃至１１のいずれか一項に記載の情報提示装置。
【請求項１３】
前記収集手段は、マイクを使用することによって、前記情報提示対象者から発せられた音声を前記対処情報として収集し、
前記判定手段は、前記対処情報に対して音声認識処理を行うことによって、前記情報提示対象者から発せられた言葉を認識し、認識した前記発せられた言葉の内容と、前記期待情報が示す言葉の内容とを比較する、
請求項７乃至１２のいずれか一項に記載の情報提示装置。
【請求項１４】
前記収集手段は、カメラを使用することによって、前記情報提示対象者を撮影した結果を前記対処情報として収集し、
前記判定手段は、前記対処情報に対して画像分析処理を行うことによって、前記対処情報が示す画像と、前記期待情報が示す画像とを比較する、
請求項７乃至１３のいずれか一項に記載の情報提示装置。
【請求項１５】
前記収集手段は、外部に設置されたセンサーから出力された情報を前記対処情報として収集し、
前記判定手段は、前記対処情報が示す値と、前記期待情報が示すセンサーから出力された情報に関する期待値とを比較する、
請求項７乃至１４のいずれか一項に記載の情報提示装置。
【請求項１６】
時間帯によって身体の状態が異なる情報提示対象者に関する前記時間帯ごとの前記身体の状態を予測した身体状態管理情報と、前記情報提示対象者への提示情報ごとに、前記情報提示対象者が前記提示情報に対して期待通りに対処することが可能と予測される前記身体の状態を示す提示管理情報と、が記憶手段に記憶されている場合に、
情報処理装置によって、
前記身体状態管理情報、及び、前記提示管理情報に基づいて、前記情報提示対象者が特定の前記提示情報に対して期待通りに対処することが可能である時間帯に、前記特定の提示情報を、前記情報提示対象者に提示する、
情報提示方法。
【請求項１７】
情報処理装置によって、
前記提示情報に対して前記情報提示対象者が対処した内容を表す対処情報を収集し、収集した前記対処情報と、前記情報提示対象者に期待される前記提示情報に対する対処内容を表す期待情報とを比較することによって、前記情報提示対象者が期待通りに対処することができたか否かを判定し、
その判定結果に基づいて、前記身体状態管理情報、及び、前記提示管理情報を更新する、
請求項１６に記載の情報提示方法。
【請求項１８】
時間帯によって身体の状態が異なる情報提示対象者に関する前記時間帯ごとの前記身体の状態を予測した身体状態管理情報と、前記情報提示対象者への提示情報ごとに、前記情報提示対象者が前記提示情報に対して期待通りに対処することが可能である前記身体の状態を示す提示管理情報と、が記憶された記憶手段にアクセス可能なコンピュータに、
前記身体状態管理情報、及び、前記提示管理情報に基づいて、前記情報提示対象者が特定の前記提示情報に対して期待通りに対処することが可能と予測される時間帯に、前記特定の提示情報を、前記情報提示対象者に提示する提示処理
を実行させるための情報提示プログラム。
【請求項１９】
前記提示情報に対して前記情報提示対象者が対処した内容を表す対処情報を収集する収集手段によって収集された前記対処情報と、前記情報提示対象者に期待される前記提示情報に対する対処内容を表す期待情報とを比較することによって、前記情報提示対象者が期待通りに対処することができたか否かを判定する判定処理と、
前記判定処理による判定結果に基づいて、前記身体状態管理情報、及び、前記提示管理情報を更新する更新処理と、
をさらにコンピュータに実行させるための請求項１８に記載の情報提示プログラム。
【発明の詳細な説明】
【技術分野】
【０００１】
本願発明は、高齢者等、生活の支援が必要な人に対して、生活を支援する人により指示された情報を提示する技術に関する。
【背景技術】
【０００２】
人口の高齢化が急速に進んでいる現代社会においては、生活の支援を必要とする高齢者が急速に増加してきている。このような高齢者の生活を支援する人々は、様々な事情により、その高齢者と一緒に生活することができないことが多い。したがって、遠隔地からその高齢者を見守り、生活を支援することを可能とする技術に対する期待が高まってきている。
【０００３】
このような技術に関連する技術として、特許文献１には、被介護者に負担を与えずに、万一の場合に、介護センターに緊急通報を自動的に通報する緊急通報装置が開示されている。この装置は、被介護者の行動を検出するスイッチ回路を内蔵したマットスイッチ回路に対する信号入力を監視したデータに基づいて、被介護者の生活リズムを把握する。この装置は、被介護者が行動する時間帯に合わせて、スピーカーから一定時間音楽又は音声を出力する。そしてこの装置は、被介護者からの音声応答がマイク回路によって検出できない場合は、介護センターに異常を通報する。
【０００４】
また、特許文献２には、宅内に在中する被見守り者を監視する遠隔宅内見守りシステムが開示されている。このシステムに含まれる介助情報体（例えば宅内ロボット）は、通信ネットワークを介して管理センターと接続され、被見守り者の生活情報を取得して管理センターに送信する。また、この介助情報体は、管理センターから被見守り者に対する生活情報を受信して、受信した生活情報を、被見守り者に提示する。
【先行技術文献】
【特許文献】
【０００５】
【特許文献１】特開2002-024967号公報
【特許文献２】特開2015-069485号公報
【特許文献３】特許第5285575号公報
【発明の概要】
【発明が解決しようとする課題】
【０００６】
生活の支援を必要とする高齢者等の被介護者は、時間帯によって身体の状態が異なり、身体の状態が被介護者ごとに規則的に変化する傾向があることが、一般的に知られている。その一例としては、ある被介護者は、昼と夜の時間帯においては身体の状態がよく、朝と夕方の時間帯においては身体の状態がよくないということである。この身体の状態には、例えば、脳の働き（理解力）の状態、あるいは身体を動かす際における障害（痛みなど）の状態などが含まれる。
【０００７】
このような被介護者に対して、遠隔地から様々な情報を提供することによって、その生活を支援する場合において、例えば、被介護者の身体の状態がよくない時間帯に、高度な対処が期待される情報を提示しても、被介護者は提示された情報に対して適切に対処することが困難である。これに対して、被介護者の身体の状態がよい時間帯に、高度な対処が期待される情報を提示した場合は、被介護者は提示された情報に対して適切に対処できる可能性が高い。すなわち、被介護者が対処できるように、被介護者の身体の状態にあわせて適切な情報を提供することが課題である。特許文献１及び２は、この課題について言及していない。本願発明の主たる目的は、この課題を解決する情報提示装置等を提供することである。
【課題を解決するための手段】
【０００８】
本願発明の一態様に係る情報提示装置は、時間帯によって身体の状態が異なる情報提示対象者に関する前記時間帯ごとの前記身体の状態を予測した身体状態管理情報と、前記情報提示対象者への提示情報ごとに、前記情報提示対象者が前記提示情報に対して期待通りに対処することが可能である前記身体の状態を示す提示管理情報と、が記憶された記憶手段と、前記身体状態管理情報、及び、前記提示管理情報に基づいて、前記情報提示対象者が特定の前記提示情報に対して期待通りに対処することが可能と予測される時間帯に、前記特定の提示情報を、前記情報提示対象者に提示する提示手段と、を備える。
【０００９】
上記目的を達成する他の見地において、本願発明の一態様に係る情報提示方法は、時間帯によって身体の状態が異なる情報提示対象者に関する前記時間帯ごとの前記身体の状態を予測した身体状態管理情報と、前記情報提示対象者への提示情報ごとに、前記情報提示対象者が前記提示情報に対して期待通りに対処することが可能と予測される前記身体の状態を示す提示管理情報と、が記憶手段に記憶されている場合に、情報処理装置によって、前記身体状態管理情報、及び、前記提示管理情報に基づいて、前記情報提示対象者が特定の前記提示情報に対して期待通りに対処することが可能である時間帯に、前記特定の提示情報を、前記情報提示対象者に提示する。
【００１０】
また、上記目的を達成する更なる見地において、本願発明の一態様に係る情報提示プログラムは、時間帯によって身体の状態が異なる情報提示対象者に関する前記時間帯ごとの前記身体の状態を予測した身体状態管理情報と、前記情報提示対象者への提示情報ごとに、前記情報提示対象者が前記提示情報に対して期待通りに対処することが可能である前記身体の状態を示す提示管理情報と、が記憶された記憶手段にアクセス可能なコンピュータに、前記身体状態管理情報、及び、前記提示管理情報に基づいて、前記情報提示対象者が特定の前記提示情報に対して期待通りに対処することが可能と予測される時間帯に、前記特定の提示情報を、前記情報提示対象者に提示する提示処理を実行させるためのプログラムである。
【００１１】
更に、本願発明は、係る情報提示プログラム（コンピュータプログラム）が格納された、コンピュータ読み取り可能な、不揮発性の記録媒体によっても実現可能である。
【発明の効果】
【００１２】
本願発明は、情報提示対象者が提示された情報に対して着実に対処できるように、情報提示対象者に情報を提示することを可能とする。
【図面の簡単な説明】
【００１３】
【図１】本願発明の第１の実施形態に係る情報提示装置１０の構成を示すブロック図である。
【図２】本願発明の第１の実施形態に係る提示情報１１０−１乃至１１０−ｎの内容を例示する図である。
【図３】本願発明の第１の実施形態に係る身体状態管理情報１１１の構成を例示する図である。
【図４】本願発明の第１の実施形態に係る提示管理情報１１２の構成を例示する図である。
【図５】本願発明の第１の実施形態に係る提示時刻設定情報１２０の構成を例示する図である。
【図６】本願発明の第１の実施形態に係る時間帯別実績管理情報１１５の構成を例示する図である。
【図７】本願発明の第１の実施形態に係る期待情報１１３−１乃至１１３−ｎの内容を例示する図である。
【図８】本願発明の第１の実施形態に係る提示情報別実績管理情報１１４の構成を例示する図である。
【図９】本願発明の第１の実施形態に係る情報提示装置１０が、情報提示対象者に提示情報を提示する動作を示すフローチャートである。
【図１０】本願発明の第１の実施形態に係る情報提示装置１０が、身体状態管理情報１１１、及び、提示管理情報１１２を更新する動作を示すフローチャートである。
【図１１】本願発明の第２の実施形態に係る情報提示装置３０の構成を示すブロック図である。
【図１２】本願発明の各実施形態に係る情報提示装置を実行可能な情報処理装置の構成を示すブロック図である。
【発明を実施するための形態】
【００１４】
以下、本願発明の実施の形態について図面を参照して詳細に説明する。
【００１５】
＜第１の実施形態＞
図１は、本願発明の第１の実施の形態に係る情報提示装置１０の構成を概念的に示すブロック図である。情報提示装置１０は、例えば、生活の支援を必要とする高齢者等の被介護者に対して、生活に必要な情報（提示情報）を提示する装置である。情報提示装置１０は、被介護者が住む宅内に設置されている。情報提示装置１０は、音声や画像によるユーザインタフェースを備える、例えばロボット型あるいはタブレット端末型等の情報処理装置である。なお、本願では、提示情報を提示する対象である被介護者を、以降、情報提示対象者と称する。
【００１６】
本実施形態に係る情報提示装置１０は、端末装置２０と通信可能に接続されている。端末装置２０は、情報提示対象者の生活を支援する支援者が、情報提示装置１０を遠隔地から管理する際に使用する情報処理装置である。支援者は、端末装置２０を介して、情報提示装置１０に対して提示情報を入力する。
【００１７】
情報提示装置１０は、記憶部１１、提示部１２、収集部１３、判定部１４、及び、更新部１５を備えている。記憶部１１は、例えば、磁気ディスクあるいは電子メモリ等の記憶デバイスを含んでいる。記憶部１１には、提示情報１１０−１乃至１１０−ｎ（ｎは任意の自然数）、身体状態管理情報１１１、提示管理情報１１２、期待情報１１３−１乃至１１３−ｎ、提示情報別実績管理情報１１４、及び、時間帯別実績管理情報１１５が記憶されている。
【００１８】
図２は、本実施形態に係る提示情報１１０−１乃至１１０−ｎの内容を例示する図である。提示情報１１０−１乃至１１０−ｎは、例えば、端末装置２０を介して、支援者により入力される。図２では、説明の便宜上、提示情報１１０−１乃至１１０−ｎの内容を、テーブル形式により、まとめて記載している。
【００１９】
図２に例示する通り、例えば、提示情報１１０−１乃至１１０−３は、順に、今日の日付、現在の時刻、及び、今日の情報提示対象者のスケジュールを、情報提示対象者に認知してもらうために提示される情報である。より具体的には、提示情報１１０−１は、例えば、今日の日付を表す文字データ、あるいは、音声データである。提示情報１１０−１乃至１１０−３は、これらの情報が提示されたのち、情報提示対象者がこれらの情報を正しく認識しているか否か確認するために、提示された情報について情報提示対象者に質問することを指示する内容を含んでいる。
【００２０】
また、例えば、提示情報１１０−４は、食材等を購入するために店に行くことを、情報提示対象者に対して指示するために提示される情報である。提示情報１１０−４は、情報提示対象者に対して、食材等を購入したことを確認するために、帰宅後に購入時のレシートを情報提示装置１０に対して提示する（見せる）ことを指示する内容を含んでいる。提示情報１１０−５乃至１１０−ｎも、提示情報１１０−１乃至１１０−４と同様に、情報提示対象者に対して、目的とする情報を認知してもらうため、あるいは、目的とする行動を行うように指示するために提示される情報である。
【００２１】
尚、例えば、朝食、昼食、夕食を取ること、あるいは、食後に服薬することなど、行う時間が固定された（行う時間を柔軟に設定できない）目的とする行動に関する提示情報については、本実施形態に係る情報提示装置１０の制御対象から外すこととする。
【００２２】
図３は、本実施形態に係る身体状態管理情報１１１の構成を例示する図である。身体状態管理情報１１１は、情報提示対象者の過去の身体状態などに基づいて、情報提示対象者の時間帯ごとの身体状態を予測する情報である。身体状態管理情報１１１は、例えば、端末装置２０を介して、支援者により入力される。身体状態管理情報１１１は、例えば、後述する更新部１５によって更新される。
【００２３】
図３に示す通り、身体状態管理情報１１１では、時間帯と身体状態のレベルとが関連付けされている。本実施形態では、身体状態のレベルは、身体状態が良い方から、「Ａ」、「Ｂ」、「Ｃ」という順番により分類された値を示す。すなわち、レベルが「Ａ」であることは、身体状態が最も良いことを示し、レベルが「Ｃ」であることは、身体状態が最も悪いことを示す。図３に例示する身体状態管理情報１１１は、例えば、情報提示対象者の身体状態は、７時から９時の時間帯においては最も悪いレベルであり、１０時から１２時の時間帯においては最も良いレベルであることを示す。
【００２４】
尚、本実施形態では、身体状態のレベルを３段階としているが、身体状態のレベルは、３段階に限定されない。また、本実施形態では、０時から７時の時間帯、及び、２２時から０時の時間帯において、情報提示対象者に対する情報提示を行わないこととするので、図３に例示する通り、それらの時間帯を管理対象外とする。また、図３に例示する身体状態管理情報１１１は、情報提示対象者の身体の状態が規則的に変化すると予測される周期が１日であることを前提としているが、当該周期が１日以外の期間であることを前提とした情報であってもよい。
【００２５】
図４は、本実施形態に係る提示管理情報１１２の構成を例示する図である。提示管理情報１１２は、提示情報１１０−１乃至１１０−ｎの個々に対して、情報提示対象者が対処（応答）可能な身体状態のレベルを示す情報である。提示管理情報１１２は、例えば、端末装置２０を介して、支援者により入力される。提示管理情報１１２は、例えば、後述する更新部１５によって更新される。
【００２６】
図４に例示する提示管理情報１１２は、例えば、提示情報１１０−１に対して、情報提示対象者が対処可能な身体状態のレベルは、「Ａ」乃至「Ｃ」（すなわち、全てのレベル）であることを示している。これは、図２に例示する通り、提示情報１１０−１は、「今日の日付」という単純な情報であるので、情報提示対象者は、身体状態が最も悪いときであっても、「今日の日付」を認知することは可能であるということに基づいている。尚、情報提示対象者の身体状態によっては、提示情報１１０−１のような単純な情報であっても、当該提示情報に対して情報提示対象者が対処可能な身体状態のレベルが、例えば、「Ａ」及び「Ｂ」となる場合がある。
【００２７】
図４に例示する提示管理情報１１２は、例えば、提示情報１１０−６に対して、情報提示対象者が対処可能な身体状態のレベルは、「Ａ」のみであることを示している。これは、図２に例示する通り、提示情報１１０−６は、「振込みによる支払いを行うために銀行へ行くことの指示」という、難易度が高い行動を指示する情報であるので、情報提示対象者は、身体状態が最も良いときでないと、振込みによる支払いを行うために銀行へ行くことが困難であるということに基づいている。
【００２８】
図１に示す提示部１２は、計時部１２１、スピーカー１２２、及び、モニター１２３を備えている。計時部１２１は、例えば時計であり、現在の時刻を出力する。提示部１２は、所定のタイミングに、記憶部１１に記憶された身体状態管理情報１１１と提示管理情報１１２とを参照する。この所定のタイミングは、例えば、事前に支援者等によって設定された時刻であってもよいし、端末装置２０から指示を受けたことを契機とするタイミングであってもよい。
【００２９】
提示部１２は、身体状態管理情報１１１と提示管理情報１１２とに基づいて、個々の提示情報１１０−１乃至１１０−ｎを情報提示対象者に提示する時刻を設定する。すなわち、提示部１２は、提示管理情報１１２を参照することにより、例えば、提示情報１１０−４に対して情報提示対象者が対処可能な身体状態のレベルは、「Ａ」または「Ｂ」であることを確認する。提示部１２は、続いて、身体状態管理情報１１１を参照することにより、身体状態のレベルが「Ａ」または「Ｂ」である時間帯は、９時−１７時、及び、１８時−２２時であることを確認する。提示部１２は、これにより、提示情報１１０−４を情報提示対象者に提示する時刻を、９時−１７時、及び、１８時−２２時におけるいずれかの時刻に設定する。
【００３０】
提示部１２は、提示管理情報１１２を参照することにより、例えば、提示情報１１０−７に対して情報提示対象者が対処可能な身体状態のレベルは、「Ａ」のみであることを確認する。提示部１２は、続いて、身体状態管理情報１１１を参照することにより、身体状態のレベルが「Ａ」である時間帯は、１０時−１２時、１４−１７時、及び、２０−２２時であることを確認する。提示部１２は、これにより、提示情報１１０−４を情報提示対象者に提示する時刻を、１０時−１２時、１４−１７時、及び、２０−２２時におけるいずれかの時刻に設定する。
【００３１】
提示部１２は、提示時刻を設定した結果を示す提示時刻設定情報１２０を生成し、生成した提示時刻設定情報１２０を、例えば内部のメモリ等に記憶する。図５は、本実施形態に係る提示時刻設定情報１２０の構成を例示する図である。図５に例示する通り、提示時刻設定情報１２０は、個々の提示情報１１０−１乃至１１０−ｎに対する提示時刻設定結果を示す情報である。
【００３２】
提示部１２は、提示時刻設定情報１２０を生成したのち、時間帯ごとの提示情報を提示する頻度が、時間帯同士で均等あるいは略均等になるように、提示時刻設定情報１２０の内容を調整してもよい。提示部１２は、あるいは、時間帯ごとの、情報提示対象者が提示情報に対して期待通りに対処した回数（対処成功回数）の実績に基づいて、提示時刻設定情報１２０の内容を調整してもよい。
【００３３】
図６は、上述した、時間帯ごとの対処成功回数の実績を示す、時間帯別実績管理情報１１５の構成を例示する図である。時間帯別実績管理情報１１５は、図１に示す通り、記憶部１１に記憶されている。時間帯別実績管理情報１１５は、例えば、端末装置２０を介して、支援者により入力される。時間帯別実績管理情報１１５は、あるいは、後述する更新部１５によって、生成あるいは更新されてもよい。
【００３４】
図６に例示する時間帯別実績管理情報１１５は、身体状態のレベルが等しい時間帯ごとに、過去１週間分の対処成功回数の実績を示す情報である。図６に例示する「総時間」は、各時間帯の１週間分の合計時間を示す項目であり、図３に例示する身体状態管理情報１１１に基づいて算出可能な値である。図６に例示する「単位時間あたりの成功回数」は、時間帯ごとに、対処成功回数を総時間により除算した値である。
【００３５】
提示部１２は、例えば、身体状態のレベルが「Ａ」、「Ｂ」、及び、「Ｃ」である時間帯について、提示情報１１０−１乃至１１０−ｎを提示する頻度の比率が、時間帯別実績管理情報１１５が示す、単位時間あたりの成功回数の比率と同等となるように、提示時刻設定情報１２０の内容を調整してもよい。この場合、提示部１２は、例えば、図６に例示する時間帯別実績管理情報１１５に基づいて、身体状態のレベルが「Ａ」、「Ｂ」、及び、「Ｃ」である時間帯における、提示情報を提示する頻度の比率が、１．０６対１．１４対０．８１と同等となるように、提示時刻設定情報１２０の内容を調整する。
【００３６】
提示部１２は、計時部１２１が、提示時刻設定情報１２０が示す提示情報１１０−ｉ（ｉは１乃至ｎのいずれかの整数）の提示時刻を出力したときに、提示情報１１０−ｉを、情報提示対象者へ提示する。提示部１２は、提示情報１１０−ｉを、例えば、スピーカー１２２により音声出力し、モニター１２３により画像出力する。
【００３７】
例えば、本実施形態では、提示情報１１０−１を提示する時刻は、図５に例示する通り、提示部１２によって「７：１０（７時１０分）」に設定されている。提示部１２は、計時部１２１が７時１０分を示したときに、提示情報１１０−１が示す内容にしたがって、スピーカー１２２から、例えば、「今日は６月１日です」という音声を出力する。提示部１２は、この際、モニター１２３に、６月１日を示す画像を表示してもよい。提示部１２は、こののち、情報提示対象者が今日の日付を正しく認知できたか否かを確認するために、スピーカー１２２から、例えば、「今日は何月何日ですか」という音声を出力する。
【００３８】
例えば、本実施形態では、提示情報１１０−６を提示する時刻は、図５に例示する通り、提示部１２によって「９：３０（９時３０分）」に設定されている。提示部１２は、計時部１２１が９時３０分を示したときに、提示情報１１０−６が示す内容にしたがって、スピーカー１２２から、例えば、「Ａ銀行に行って、Ｂさんに３万円振り込んでください。帰宅後に振込み明細書を見せてください」という音声を出力する。提示部１２は、この際、モニター１２３に、Ａ銀行への道順を示す地図等を表示してもよい。
【００３９】
図１に示す収集部１３は、提示情報１１０−ｉに対して情報提示対象者が対処した内容を表す対処情報を収集する。収集部１３は、マイク１３０、及び、カメラ１３１を備えている。収集部１３は、提示部１２によって提示情報１１０−ｉが情報提示対象者に提示されたのちに、情報提示対象者から発せたれた音声を、マイク１３０により対処情報として収集する。収集部１３は、提示部１２によって提示情報１１０−ｉが情報提示対象者に提示されたのちに、情報提示対象者をカメラ１３１により撮影し、その撮影結果を対処情報として収集する。収集部１３は、マイク１３０及びカメラ１３１の少なくともいずれかを使用して、情報提示対象者を識別する機能を有してもよい。
【００４０】
収集部１３は、提示部１２によって提示情報１１０−ｉが情報提示対象者に提示されたのちに、情報提示対象者、あるいは、情報提示対象者の宅内に設置されたセンサー等から出力された情報を対処情報として収集してもよい。上述したセンサーの一例として、情報提示対象者が持ち歩く携帯電話が備えるＧＰＳ（Global Positioning System）センサーがある。ＧＳＰセンサーは、情報提示対象者が外出した際に、情報提示対象者の所在を示す情報を出力する。また、上述したセンサーの一例として、情報提示対象者の宅内における各部屋に設置された人感センサーがある。人感センサーは、情報提示対象者が宅内におけるどの部屋にいるのかを示す情報を出力する。また、上述したセンサーの一例として、服薬支援機器が備えるセンサーがある。この服薬支援機器が備えるセンサーは、情報提示対象者が服薬したことを示す情報を出力する。
【００４１】
収集部１３は、収集した対処情報に対して、必要に応じてデジタルデータ化などの処理を施したのち、対処情報を判定部１４へ入力する。
【００４２】
判定部１４は、収集部１３から入力された対処情報と、記憶部１１に記憶された期待情報１１３−ｉとを比較することによって、情報提示対象者が、提示された提示情報１１０−ｉに対して期待通りに対処できたか否かを判定する。
【００４３】
図７は、本実施形態に係る期待情報１１３−１乃至１１３−ｎの内容を例示する図である。期待情報１１３−１乃至１１３−ｎは、順に、提示情報１１０−１乃至１１０−ｎが情報提示対象者に提示されたときに、情報提示対象者に期待される対処内容を表す情報である。期待情報１１３−１乃至１１３−ｎは、例えば、端末装置２０を介して、支援者により入力される。図７では、説明の便宜上、期待情報１１３−１乃至１１３−ｎの内容を、テーブル形式により、まとめて記載している。
【００４４】
図７に例示する通り、例えば、期待情報１１３−１は、提示部１２によって提示情報１１０−１が提示されたのち、情報提示対象者による対処（応答）内容として期待される本日の日付を示す言葉として設定されている。判定部１４は、この場合、収集部１３から入力された対処情報に対して音声認識処理を行うことによって、情報提示対象者から発せられた言葉を認識し、認識した言葉の内容と、期待情報１１３−１が示す言葉の内容とを比較する。判定部１４は、対処情報が示す言葉の内容が、期待情報１１３−１が示す言葉の内容に相当する場合、情報提示対象者が、提示された提示情報１１０−１に対して期待通りに対処できたと判定する。
【００４５】
例えば、提示部１２によって、「今日は６月１日です」、「今日は何月何日ですか」という音声が情報提示対象者に対して出力された後、情報提示対象者が「６月１日」という内容を示す言葉を発した場合、判定部１４は、情報提示対象者が、提示された提示情報１１０−１に対して期待通りに対処できたと判定する。
【００４６】
図７に例示する通り、例えば、期待情報１１３−６は、提示部１２によって提示情報１１０−６が提示されたのち、情報提示対象者による対処内容として期待される、振込み明細書の期待情報、及び、ＧＰＳセンサーからの出力の期待値として設定されている。例えば、図２に例示する提示情報１１０−６が、上述した「Ａ銀行に行きＢさんに３万円を振り込み、帰宅後に振込み明細書を見せる」ことを指示する情報である場合、振込み明細書の期待情報は、例えば、Ｂさんに３万円を振り込んだことを示す振込み明細書のフォーマットである。また、この場合、ＧＰＳセンサーからの出力の期待値は、Ａ銀行の位置を示す値である。判定部１４は、情報提示対象者が帰宅後に、カメラ１３１を介して入力された振込み明細書の画像に対して画像分析処理を行う。そして、判定部１４は、収集部１３によって収集された対処情報に含まれる振込み明細書を撮影した画像が、Ｂさんに３万円を振り込んだことを示しており、対処情報に含まれるＧＰＳセンサーからの出力値が、Ａ銀行の位置を示す値である場合、情報提示対象者が、提示された提示情報１１０−６に対して期待通りに対処できたと判定する。
【００４７】
判定部１４は、また、収集部１３により収集した対処情報に含まれる画像（映像）に基づいて、特許文献３に記載された人物の行動を判定する技術を用いるなど、画像分析処理を行うことによって、情報提示対象者が、提示された提示情報１１０−ｉに対して期待通りに対処できたか否かを判定してもよい。
【００４８】
判定部１４は、図１に示す通り、情報提示対象者が、提示された提示情報１１０−１乃至１１０−ｎに対して、期待通りに対処できた否かを判定した結果を、提示情報別実績管理情報１１４として、記憶部１１へ格納する。図８は、本実施形態に係る提示情報別実績管理情報１１４の構成を例示する図である。図８に例示する通り、提示情報別実績管理情報１１４は、個々の提示情報１１０−１乃至１１０−ｎについて、提示時刻と判定結果とを示した情報である。尚、図８に例示する提示情報別実績管理情報１１４は、１日分の判定結果を示しているが、提示情報別実績管理情報１１４は、例えば、もっと長い期間における判定結果を示す情報であってもよい。
【００４９】
更新部１５は、判定部１４により記憶部１１に格納された提示情報別実績管理情報１１４に基づいて、身体状態管理情報１１１、及び、提示管理情報１１２を更新する。
【００５０】
更新部１５は、提示情報別実績管理情報１１４に基づいて、例えば、７時台、８時台といった時間帯ごとの判定結果を確認する。更新部１５は、例えば、特定の時間帯において、情報提示対象者が期待通りに対処できた回数の割合が閾値Ｘより大きい場合に、当該特定の時間帯の身体状態のレベルを「Ａ」に設定（更新）する。更新部１５は、例えば、特定の時間帯において、情報提示対象者が期待通りに対処できた回数の割合が閾値Ｙ（ＹはＸより小さいこととする）以上かつ閾値Ｘ以下である場合に、当該特定の時間帯の身体状態のレベルを「Ｂ」に設定（更新）する。更新部１５は、例えば、特定の時間帯において、情報提示対象者が期待通りに対処できた回数の割合が閾値Ｙ未満である場合に、当該特定の時間帯の身体状態のレベルを「Ｃ」に設定（更新）する。これにより、更新部１５は、身体状態管理情報１１１を更新する。更新部１５は、この際、提示管理情報１１２が示す、各提示情報に対する対処可能な身体状態のレベルをふまえて（算出における重み付けを行って）、特定の時間帯の身体状態のレベルを設定してもよい。
【００５１】
更新部１５は、提示情報別実績管理情報１１４に基づいて、判定結果が「対処失敗」となっている提示情報１１０−ｉを確認したのち、身体状態管理情報１１１に基づいて、その提示情報１１０−ｉが提示された時間帯における身体状態のレベルを確認する。そして、更新部１５は、提示管理情報１１２において提示情報１１０−ｉに関連付けされた対処可能な身体状態のレベルの一覧から、提示情報１１０−ｉが提示された時間帯における身体状態のレベル、及び、その身体状態より状態が悪いレベルを削除することにより、提示管理情報１１２を更新する。
【００５２】
更新部１５は、例えば、図８に例示する提示情報別実績管理情報１１４において、提示情報１１０−３が対処失敗となっていることを確認する。更新部１５は、身体状態管理情報１１１に基づいて、提示情報１１０−３が提示された「８：３０（８時３０分）」の身体状態のレベルが「Ｃ」であることを確認する。この場合、更新部１５は、情報提示対象者は、身体状態のレベルが「Ｃ」である時間帯においては、提示情報１１０−３に対して期待通りに対処することは困難であるとみなすこととする。これにより、更新部１５は、図４に例示する提示管理情報１１２に対して、提示情報１１０−３に関連付けされた対処可能な身体状態のレベルの一覧から、レベル「Ｃ」を削除する更新を行う。尚、提示情報１１０−３が提示された時刻の身体状態のレベルが「Ｂ」であった場合、更新部１５は、提示管理情報１１２に対して、提示情報１１０−３に関連付けされた対処可能な身体状態のレベルの一覧から、レベル「Ｂ」及び「Ｃ」を削除する更新を行う。
【００５３】
更新部１５は、記憶部１１に記憶された、身体状態管理情報１１１と提示情報別実績管理情報１１４とに基づいて、時間帯別実績管理情報１１５を生成あるいは更新し、生成あるいは更新した時間帯別実績管理情報１１５を、記憶部１１に格納する。更新部１５は、例えば図３に例示する身体状態管理情報１１１に基づいて、身体状態のレベルが等しい時間帯ごとに、所定の期間（例えば１週間）における、時間帯の総時間を算出する。更新部１５は、図６に例示する時間帯別実績管理情報１１５が示す通り、身体状態のレベルが「Ａ」、「Ｂ」、及び、「Ｃ」である時間帯の１週間分の総時間が、順に、４９時間、３５時間、２１時間であることを算出する。更新部１５は、身体状態管理情報１１１と提示情報別実績管理情報１１４とに基づいて、図６に例示する時間帯別実績管理情報１１５が示す通り、身体状態のレベルが「Ａ」、「Ｂ」、及び、「Ｃ」である時間帯における対処成功回数を算出する。尚、図８に例示する提示情報別実績管理情報１１４は、１日分の判定結果を示しているが、この場合、提示情報別実績管理情報１１４は、少なくとも１週間分の判定結果を含むこととする。そして、更新部１５は、身体状態のレベルが等しい時間帯ごとに、対処成功回数を総時間により除算することによって、単位時間当たりの成功回数を算出する。
【００５４】
次に図９及び図１０のフローチャートを参照して、本実施形態に係る情報提示装置１０の動作（処理）について詳細に説明する。
【００５５】
図９は、本実施形態に係る情報提示装置１０が、情報提示対象者に提示情報を提示する動作を示すフローチャートである。
【００５６】
提示部１２は、所定のタイミングに、記憶部１１に記憶された提示情報１１０−１乃至１１０−ｎ、身体状態管理情報１１１、及び、提示管理情報１１２を参照する（ステップＳ１０１）。情報提示装置１０は、変数ｉ（ｉは１乃至ｎのいずれかの整数）に１を設定し、ステップＳ１０２からＳ１０９までの反復処理を開始する（ステップＳ１０２）。
【００５７】
提示部１２は、提示情報１１０−ｉについて、対処可能な身体状態のレベルを確認する（ステップＳ１０３）。対処可能な身体状態のレベルが「Ａ」のみである場合（ステップＳ１０４でＹｅｓ）、提示部１２は、提示情報１１０−ｉの提示時刻を、身体状態のレベルが「Ａ」である時間帯のいずれかに設定し（ステップＳ１０５）、処理はステップＳ１０９へ進む。対処可能な身体状態のレベルが「Ａ」のみでない場合（ステップＳ１０４でＮｏ）、処理はステップＳ１０６へ進む。
【００５８】
対処可能な身体状態のレベルが「Ａ」または「Ｂ」である場合（ステップＳ１０６でＹｅｓ）、提示部１２は、提示情報１１０−ｉの提示時刻を、身体状態のレベルが「Ａ」または「Ｂ」である時間帯のいずれかに設定し（ステップＳ１０７）、処理はステップＳ１０９へ進む。対処可能な身体状態のレベルが「Ａ」または「Ｂ」でない（すなわち、「Ａ」、「Ｂ」、及び、「Ｃ」である）場合（ステップＳ１０６でＮｏ）、提示部１２は、提示情報１１０−ｉの提示時刻を、いずれかの時間帯に設定する（ステップＳ１０８）。
【００５９】
変数ｉの値がｎでない場合は、情報提示装置１０は、変数ｉに１を加算し、処理はＳ１０３へ戻る。変数ｉの値がｎである場合は、情報提示装置１０は、ステップＳ１０２からＳ１０９までの反復処理を終了する（ステップＳ１０９）。提示部１２は、時間帯ごとの提示頻度が基準を満たすように、提示情報１１０−１乃至１１０−ｎの提示時刻を調整し、調整した結果を、提示時刻設定情報１２０として生成する（ステップＳ１１０）。提示部１２は、提示時刻設定情報１２０が示す時間に、その時間に関連付けされた提示情報を提示し（ステップＳ１１１）、全体の処理は終了する。
【００６０】
図１０は、本実施形態に係る情報提示装置１０が、身体状態管理情報１１１、及び、提示管理情報１１２を更新する動作を示すフローチャートである。
【００６１】
収集部１３は、提示部１２により情報提示対象者に提示された提示情報１１０−ｉに対する情報提示対象者の対処結果（対処情報）を収集する（ステップＳ２０１）。判定部１４は、対処情報と期待情報１１３−ｉとを比較することによって、情報提示対象者が提示情報１１０−ｉに対して期待通りに対処することができたか否かを判定する（ステップＳ２０２）。判定部１４は、判定結果を提示情報別実績管理情報１１４として、記憶部１１に格納する（ステップＳ２０３）。
【００６２】
更新部１５は、提示情報別実績管理情報１１４が示す、時間帯ごとの判定結果に基づいて、身体状態管理情報１１１を更新する（ステップＳ２０４）。更新部１５は、提示情報別実績管理情報１１４が示す、提示情報ごとの判定結果と、身体状態管理情報１１１とに基づいて、提示管理情報１１２を更新し（ステップＳ２０５）、全体の処理は終了する。
【００６３】
本実施形態に係る情報提示装置１０は、情報提示対象者が提示された情報に対して着実に対処できるように、情報提示対象者に情報を提示することができる。その理由は、情報提示装置１０は、身体状態管理情報１１１と提示管理情報１１２とを管理することによって、情報提示対象者が特定の提示情報に対して期待通りに対処可能と予測される時間帯に、その特定の提示情報を、情報提示対象者に提示するからである。
【００６４】
以下に、本実施形態に係る情報提示装置１０によって実現される効果について、詳細に説明する。
【００６５】
生活の支援を必要とする高齢者等の被介護者（情報提示対象者）は、時間帯によって身体の状態が異なり、身体の状態が被介護者ごとに規則的に変化する傾向がある。このような情報提示対象者に対して、遠隔地から様々な情報を提供することによって、その生活を支援する場合において、情報提示対象者が対処できるように、情報提示対象者の身体の状態にあわせて適切な情報を提供することが課題である。
【００６６】
このような課題に対して、本実施形態に係る情報提示装置１０では、記憶部１１に、時間帯によって身体の状態が異なる情報提示対象者に関する時間帯ごとの身体の状態を予測した身体状態管理情報１１１が記憶されている。記憶部１１には、また、情報提示対象者への提示情報ごとに、情報提示対象者が提示情報に対して期待通りに対処することが可能である身体の状態を示す提示管理情報１１２が記憶されている。そして、提示部１２は、身体状態管理情報１１１、及び、提示管理情報１１２に基づいて、情報提示対象者が特定の提示情報に対して期待通りに対処することが可能と予測される時間帯に、その特定の提示情報を、情報提示対象者に提示する。これにより、本実施形態に係る情報提示装置１０は、情報提示対象者が提示された情報に対して着実に対処できるように、情報提示対象者に情報を提示することができる。
【００６７】
また、情報提示対象者への情報提示が、例えば、身体の状態がよい時間帯に集中して行われた場合、その時間帯における情報提示対象者の疲労が大きく増加する可能性がある。あるいは、情報提示対象者は、集中して提示された多くの提示情報に対して対処しきれなくなる可能性もある。このような問題を回避するために、本実施形態に係る情報提示装置１０は、情報提示対象者に提示情報を提示する時間帯ごとの頻度が、時間帯同士で均等あるいは略均等になるように提示情報を提示することができる。
【００６８】
また、本実施形態に係る記憶部１１には、身体状態のレベルが等しい時間帯ごとに、情報提示対象者が前記提示情報に対して期待通りに対処することができた、単位時間あたりの成功回数を示す時間帯別実績管理情報１１５が記憶されている。そして、提示部１２は、それらの時間帯における提示情報を提示する頻度の比率を、それらの時間帯における単位時間あたりの成功回数の比率と同等となるように決定する。すなわち、本実施形態に係る情報提示装置１０は、身体状態のレベルが等しい時間帯ごとの単位時間あたりの成功回数にあわせた提示頻度により、提示情報を提示するので、情報提示対象者が提示された情報に対してより着実に対処できるように、情報提示対象者にバランスよく情報を提示することができる。
【００６９】
さらに、本実施形態に係る情報提示装置１０は、収集部１３、判定部１４、及び、更新部１５を備えている。収集部１３は、提示情報に対して前記情報提示対象者が対処した内容を表す対処情報を、マイク１３０、カメラ１３１、及び、外部に設置されたセンサー等を使用することによって収集する。判定部１４は、収集された対処情報と、期待情報１１３−１乃至１１３−ｎとを比較することによって、情報提示対象者が期待通りに対処することができたか否かを判定する。そして、更新部１５は、判定部１４による判定結果に基づいて、身体状態管理情報１１１、及び、提示管理情報１１２を更新する。すなわち、情報提示装置１０は、情報提示対象者に提示情報を提示する時間帯を決定するときの基準となる、身体状態管理情報１１１及び提示管理情報１１２を、情報提示対象者が対処した実績をふまえて更新する。これにより、本実施形態に係る情報提示装置１０は、情報提示対象者が提示された情報に対して適切に対処することの確実性を、さらに向上することができる。
【００７０】
＜第２の実施形態＞
図１１は、本願発明の第２の実施形態に係る情報提示装置３０の構成を概念的に示すブロック図である。情報提示装置３０は、記憶部３１、及び、提示部３２を備えている。
【００７１】
記憶部３１には、身体状態管理情報３１１と、提示管理情報３１２とが記憶されている。
身体状態管理情報３１１は、時間帯によって身体の状態が異なる情報提示対象者に関する時間帯ごとの身体の状態を予測した情報である。提示管理情報３１２は、情報提示対象者への個々の提示情報３１０−１乃至３１０−ｎに、情報提示対象者がそれらの提示情報に対して期待通りに対処することが可能である身体の状態を示す情報である。
【００７２】
提示部３２は、身体状態管理情報３１１、及び、提示管理情報３１２に基づいて、情報提示対象者が特定の提示情報３１０−ｉ（ｉは１乃至ｎのいずれかの整数）に対して期待通りに対処することが可能と予測される時間帯に、特定の提示情報３１０−ｉを、情報提示対象者に提示する。
【００７３】
本実施形態に係る情報提示装置３０は、情報提示対象者が提示された情報に対して着実に対処できるように、情報提示対象者に情報を提示することができる。その理由は、情報提示装置３０は、身体状態管理情報３１１と提示管理情報３１２とを管理することによって、情報提示対象者が特定の提示情報に対して期待通りに対処可能と予測される時間帯に、その特定の提示情報を、情報提示対象者に提示するからである。
【００７４】
＜ハードウェア構成例＞
上述した各実施形態において図１、及び、図１１に示した情報提示装置における各部は、専用のＨＷ（ＨａｒｄＷａｒｅ）（電子回路）によって実現することができる。また、図１、及び、図１１において、少なくとも、下記構成は、ソフトウェアプログラムの機能（処理）単位（ソフトウェアモジュール）と捉えることができる。
・提示部１２及び３２
・収集部１３、
・判定部１４、
・更新部１５、
但し、これらの図面に示した各部の区分けは、説明の便宜上の構成であり、実装に際しては、様々な構成が想定され得る。この場合のハードウェア環境の一例を、図１２を参照して説明する。
【００７５】
図１２は、本願発明の各実施形態に係る情報提示装置を実行可能な情報処理装置９００（コンピュータ）の構成を例示的に説明する図である。即ち、図１２は、図１、及び、図１１に示した情報提示装置を実現可能なコンピュータ（情報処理装置）の構成であって、上述した実施形態における各機能を実現可能なハードウェア環境を表す。
【００７６】
図１２に示した情報処理装置９００は、構成要素として下記を備えている。
・ＣＰＵ（Ｃｅｎｔｒａｌ＿Ｐｒｏｃｅｓｓｉｎｇ＿Ｕｎｉｔ）９０１、
・ＲＯＭ（Ｒｅａｄ＿Ｏｎｌｙ＿Ｍｅｍｏｒｙ）９０２、
・ＲＡＭ（Ｒａｎｄｏｍ＿Ａｃｃｅｓｓ＿Ｍｅｍｏｒｙ）９０３、
・ハードディスク（記憶装置）９０４、
・外部装置との通信インタフェース９０５、
・バス９０６（通信線）、
・ＣＤ−ＲＯＭ（Ｃｏｍｐａｃｔ＿Ｄｉｓｃ＿Ｒｅａｄ＿Ｏｎｌｙ＿Ｍｅｍｏｒｙ）等の記録媒体９０７に格納されたデータを読み書き可能なリーダライタ９０８、
・入出力インタフェース９０９。
【００７７】
即ち、上記構成要素を備える情報処理装置９００は、これらの構成がバス９０６を介して接続された一般的なコンピュータである。情報処理装置９００は、ＣＰＵ９０１を複数備える場合もあれば、マルチコアにより構成されたＣＰＵ９０１を備える場合もある。
【００７８】
そして、上述した実施形態を例に説明した本願発明は、図１２に示した情報処理装置９００に対して、次の機能を実現可能なコンピュータプログラムを供給する。その機能とは、その実施形態の説明において参照したブロック構成図（図１、及び、図１１）における上述した構成、或いはフローチャート（図９及び図１０）の機能である。本願発明は、その後、そのコンピュータプログラムを、当該ハードウェアのＣＰＵ９０１に読み出して解釈し実行することによって達成される。また、当該装置内に供給されたコンピュータプログラムは、読み書き可能な揮発性のメモリ（ＲＡＭ９０３）、または、ＲＯＭ９０２やハードディスク９０４等の不揮発性の記憶デバイスに格納すれば良い。入出力インタフェース９０９は、例えば、上述したスピーカー１２２、モニター１２３、マイク１３０、及び、カメラ１３１等と接続される。入出力インタフェース９０９は、Ａ(Analog)／Ｄ(Digital)変換機能やＤ／Ａ変換機能を備えてもよい。
【００７９】
また、前記の場合において、当該ハードウェア内へのコンピュータプログラムの供給方法は、現在では一般的な手順を採用することができる。その手順としては、例えば、ＣＤ−ＲＯＭ等の各種記録媒体９０７を介して当該装置内にインストールする方法や、インターネット等の通信回線を介して外部よりダウンロードする方法等がある。そして、このような場合において、本願発明は、係るコンピュータプログラムを構成するコード或いは、そのコードが格納された記録媒体９０７によって構成されると捉えることができる。
【００８０】
以上、上述した実施形態を模範的な例として本願発明を説明した。しかしながら、本願発明は、上述した実施形態には限定されない。即ち、本願発明は、本願発明のスコープ内において、当業者が理解し得る様々な態様を適用することができる。
【符号の説明】
【００８１】
１０    情報提示装置
１１    記憶部
１１０−１乃至１１０−ｎ    提示情報
１１１    身体状態管理情報
１１２    提示管理情報
１１３−１乃至１１３−ｎ    期待情報
１１４    提示情報別実績管理情報
１１５    時間帯別実績管理情報
１２    提示部
１２０    提示時刻設定情報
１２１    計時部
１２２    スピーカー
１２３    モニター
１３    収集部
１３０    マイク
１３１    カメラ
１４    判定部
１５    更新部
２０    端末装置
３０    情報提示装置
３１    記憶部
３１０−１乃至３１０−ｎ    提示情報
３１１    身体状態管理情報
３２    提示部
９００    情報処理装置
９０１    ＣＰＵ
９０２    ＲＯＭ
９０３    ＲＡＭ
９０４    ハードディスク（記憶装置）
９０５    通信インタフェース
９０６    バス
９０７    記録媒体
９０８    リーダライタ
９０９    入出力インタフェース
【図１】
0006673045.tif 000002
【図２】
0006673045.tif 000003
【図３】
0006673045.tif 000004
【図４】
0006673045.tif 000005
【図５】
0006673045.tif 000006
【図６】
0006673045.tif 000007
【図７】
0006673045.tif 000008
【図８】
0006673045.tif 000009
【図９】
0006673045.tif 000010
【図１０】
0006673045.tif 000011
【図１１】
0006673045.tif 000012
【図１２】
0006673045.tif 000013